(57)【特許請求の範囲】
【請求項１】
公道側の本管から民地側のガスメーターにわたって老朽化した金属製の旧埋設ガス配管が埋設されており、その旧埋設ガス配管の公道側部分を樹脂製の新埋設ガス配管に入れ替える埋設ガス配管の入替え施工方法であって、
公道下の旧埋設ガス配管の一部を切断して、この旧埋設ガス配管の切断部から本管までを除去するとともに、前記旧埋設ガス配管の切断部から民地側部分を地中に残す切断除去工程と、
前記公道下の旧埋設ガス配管の除去された部分に、前記旧埋設ガス配管の内径より小さい外径を有する樹脂製の第１新埋設ガス配管を埋設するとともに、その第１新埋設ガス配管の先端部を、地中に残された前記旧埋設ガス配管の切断端部から該旧埋設ガス配管内に民地下に至る深さにまで挿入する入替え工程と、
を含み、
前記入替え工程において、前記第１新埋設ガス配管の挿入に先立って、前記第１新埋設ガス配管の先端部の外周にシールパッキンを、前記第１新埋設ガス配管の先端部の内周にスティフナーをそれぞれ嵌合するとともに、前記第１新埋設ガス配管の先端部に、ワイヤーの先端部に繋がれた、前記スティフナーの内径よりも大きい硬球を当てがっておき、前記第１新埋設ガス配管の挿入後、前記ワイヤーを引っ張って前記硬球を前記スティフナー及び前記第１新埋設ガス配管内を通して引き戻すことにより前記先端部を拡径し、前記シールパッキンを前記旧埋設ガス配管の内面に押し付けて前記第１新埋設ガス配管の先端部の外周と前記旧埋設ガス配管の内周との間の隙間をシールする、ことを特徴とする公道側の埋設ガス配管の入替え施工方法。
【請求項２】
公道側の本管から民地側のガスメーターにわたって老朽化した金属製の旧埋設ガス配管が埋設されており、その旧埋設ガス配管の公道側部分を樹脂製の新埋設ガス配管に入れ替える埋設ガス配管の入替え施工方法であって、公道下の旧埋設ガス配管の一部を切断して、この旧埋設ガス配管の切断部から本管までを除去するとともに、前記旧埋設ガス配管の切断部から民地側部分を地中に残す切断除去工程と、
前記公道下の旧埋設ガス配管の除去された部分に、前記旧埋設ガス配管の内径より小さい外径を有する樹脂製の第１新埋設ガス配管を埋設するとともに、その第１新埋設ガス配管の先端部を、地中に残された前記旧埋設ガス配管の切断端部から該旧埋設ガス配管内に民地下に至る深さにまで挿入する入替え工程と、
を含み、
前記入替え工程において、前記第１新埋設ガス配管の挿入に先立って前記第１新埋設ガス配管の先端部の外周にシールパッキンを嵌合するとともに、前記第１新埋設ガス配管の内径より大きい外径を有し、一端部の外径のみを前記第１新埋設ガス配管の内径と同じかそれよりも小さく形成し、他端部の外周に外向き鍔を設けたスティフナーの、前記一端部の内部に、ワイヤーの先端部に繋がれた硬球を仮止め保持し、このスティフナーの一端部のみを前記第１新埋設ガス配管の先端部の内周に嵌合しておき、
前記第１新埋設ガス配管の挿入後、前記ワイヤーを引っ張って前記スティフナーを外向き鍔が前記第１新埋設ガス配管の先端面に当接するまで前記第１新埋設ガス配管の先端部の内周に引き込んで前記先端部を拡径し、前記シールパッキンを前記旧埋設ガス配管の内面に押し付けて第１新埋設ガス配管の先端部の外周と旧埋設ガス配管の内周との間の隙間をシールした後、前記スティフナーの一端部から硬球を引き離す、ことを特徴とする公道側の埋設ガス配管の入替え施工方法。
【請求項３】
前記入替え工程において、地中に残された前記旧埋設ガス配管の切断端部と、前記第１新埋設ガス配管の外周との間の隙間を管継手で気密状にシールする、請求項１又は２記載の公道側の埋設ガス配管の入替え施工方法。
【請求項４】
前記入替え工程において、前記第１新埋設ガス配管の先端部の外周と前記旧埋設ガス配管の内周との間の隙間を、前記第１新埋設ガス配管の先端部の外周に予め嵌合した前記シールパッキンで気密状にシールする、請求項１ないし３のいずれかに記載の公道側の埋設ガス配管の入替え施工方法。
【発明の詳細な説明】
【０００１】
【発明の属する技術分野】
本発明は、公道側から民地側にわたって埋設された鋳鉄管又は鋼管よりなる旧埋設ガス配管を樹脂製の新埋設ガス配管に入れ替える施工方法に関する。
【０００２】
【従来の技術】
既設の老朽した金属製の旧埋設ガス配管を樹脂製の新埋設ガス配管に入れ替える施工方法の一例を図９及び図１０を参照にして説明する。図９は公道側から民地側にわたって旧埋設ガス配管が埋設されている入替え前の状態を、図１０は新埋設ガス配管に入れ替えた後の状態をそれぞれ示している。
【０００３】
図９に示すように、公道下の本管１、分岐サドル３２及び官民境界線Ｃまでの供給管２（以下、公道下の供給管２という。）を含む旧埋設ガス配管３はガス会社法人の資産であり、官民境界線Ｃからガスメーターへの供給管２（以下、民地下の供給管２という。）である旧埋設ガス配管３は消費者個人の資産である。したがって、ガス会社は、計画的に老朽した旧埋設ガス配管３の入替えを実施するにしても公道下の本管１及び官民境界線Ｃまでの供給管２の入替えと、民地下の供給管２の入替えとは、必ずしも同時に行うことができない場合がある。この場合、ガス会社は、計画的に公道下の老朽管の入替えのみを先行し、後日に民地下の供給管２の入替えを行うという時差工事を採用せざるを得ない。
【０００４】
このように公道下の老朽管の入替えを先行して行うときは、民地を自由に掘削できないため、先ず、図１０に示すように、公道Ａの民地Ｂに達する手前の官民境界線Ｃ付近までの地面を掘削し、そして公道下の老朽した供給管２はその掘削により形成されたピット内に露出する箇所で切断して、公道下の本官１、分岐サドル３２及び供給管２のみを新設の樹脂製の本官４、分岐サドル５及び供給管３３と入れ替える。このとき、公道下の新設の供給管３３の端部と民地下の老朽した供給管２のピット内に臨む切断端部とはトランジション継手３４や中継管３５を用いて接続しておくことになる。そして、民地Ｂ下の供給管２を新設の樹脂製の供給管３６に入れ替える工事は後日に行われる。
【０００５】
【発明が解決しようとする課題】
しかるに、先行して公道下の新設の供給管３３への入替え工事と、その新設の供給管３３と地中に残される民地側の旧埋設ガス配管３との接続工事が公道側の官民境界線Ｃ付近で行われるという上記入替え施工法では、後日、民地下の供給管２の入替えを行うとき、再度、公道側の官民境界線Ｃ付近を掘り起こさなければならない。
【０００６】
本発明の目的は、このような問題を解消するためになされたもので、上記のような時差工事を採用する場合も、後日、民地下の埋設ガス配管の入替えを行うときは公道側を再度掘り起こす必要がなく、民地側の旧埋設ガス配管の入替え作業の能率化、工期の短縮化を図れる埋設ガス配管の入替え施工方法を提供することにある。
【０００７】
【課題を解決するための手段】
本発明の公道側の埋設ガス配管の入替え施工方法は、図１〜図８に例示するように、公道側の本管１から民地側のガスメーターにわたって老朽化した金属製の旧埋設ガス配管３が埋設されており、その旧埋設ガス配管３の公道側部分を樹脂製の新埋設ガス配管１１に入れ替える埋設ガス配管の入替え施工方法であって、公道下の旧埋設ガス配管３の一部を切断して、この旧埋設ガス配管３の切断部から本管１までを除去するとともに、旧埋設ガス配管３の切断部から民地側部分を地中に残す切断除去工程と、公道下の旧埋設ガス配管３の除去された部分に、旧埋設ガス配管の内径より小さい外径を有する樹脂製の第１新埋設ガス配管１１を埋設するとともに、その第１新埋設ガス配管１１の先端部１１ａを、地中に残された前記旧埋設ガス配管３の切断端部から該旧埋設ガス配管内に民地下に至る深さにまで挿入する入替え工程と、を含むことに特徴を有するものである。
【０００８】
この場合において、前記入替え工程において、地中に残された旧埋設ガス配管３の切断端部と、第１新埋設ガス配管１１の外周との間の隙間を管継手６で気密状にシールすることができる。また、前記入替え工程において、第１新埋設ガス配管１１の先端部１１ａの外周と旧埋設ガス配管３の内周との間の隙間を、第１新埋設ガス配管１１の先端部１１ａの外周に予め嵌合したシールパッキン１３で気密状にシールすることができる。また、前記入替え工程において、第１新埋設ガス配管１１の挿入に先立って第１新埋設ガス配管１１の先端部１１ａの外周にシールパッキン１３を、第１新埋設ガス配管１１の先端部１１ａの内周にスティフナー１４をそれぞれ嵌合し、第１新埋設ガス配管１１の挿入後、前記スティフナー１４により第１新埋設ガス配管１１の先端部１１ａを拡径することにより前記シールパッキン１３を旧埋設ガス配管３の内面に押し付けて第１新埋設ガス配管１１の先端部の外周と旧埋設ガス配管３の内周との間の隙間を気密状にシールすることができる。
【０００９】
上記構成の埋設ガス配管の入替え施工方法によれば、先行して行う公道側の旧埋設ガス配管の入替え時に、第１新埋設ガス配管の先端部を、地中に残されている旧埋設ガス配管の切断端部から該旧埋設ガス配管内に民地下に至る深さにまで挿入するので、後日、民地側の旧埋設ガス配管を入れ替える時は民地を掘削するだけで足り、公道を再度掘り起こす必要が無くなる。
【００１０】
【００１１】
【００１２】
【発明の実施の形態】
本発明の実施例を図面に基づき説明する。図１は公道側の旧埋設ガス配管のみを新埋設ガス配管に入替えた状態の新旧埋設ガス配管の接続装置の断面図、図２は公道側及び民地側双方の旧埋設ガス配管を新埋設ガス配管に入替えた状態の断面図、図３は図１における要部の拡大断面図、図４は図３の継手部分の拡大断面図、図５は民地側の入替え工程図、図６は他の実施例の民地側の入替え工程図、図７は他の実施例の新埋設ガス配管の先端部のシール部の断面図、図８は更に他の実施例の新埋設ガス配管の先端部のシール工程図、図９は公道側から民地側にわたって旧埋設ガス配管が埋設されている状態の断面図である。
【００１３】
本発明による埋設ガス配管の入替え施工方法を実施する前の段階では、図９に示すように、公道Ａの地中に鋳鉄管又は鋼管よりなる金属製の本管１、分岐サドル３２及び供給管２等の旧埋設ガス配管３が埋設され、民地Ｂの地中には前記旧埋設ガス配管３の供給管２が民地内のガスメーター（図示せず）の方向へ延長して埋設されている。図９中、Ｃは官民境界線、Ｄは側溝を示す。
【００１４】
本発明の方法により公道側の旧埋設ガス配管３である本管１、分岐サドル３２及び供給管２を先行して入れ替える作業は次の（１）〜（９）の順序で行われる。
【００１５】
（１）  公道Ａの本管１、分岐サドル３２及び供給管２が埋設される周辺の地面を掘削する。このときの掘削量は、図１に符号Ｅで示すように、本管１、分岐サドル３２及び供給管２の周辺の地面を掘削するのみで足り、図１０に示すごとく官民境界線Ｃ付近にまで広く掘削しなくてよい。
【００１６】
（２）  掘削後、図１、図３に示すように、旧本管１及び旧分岐サドル３２を除去してポリエチレン等樹脂製の新本管４と入れ替え、また掘削により形成されたピット内で旧供給管２の中途部を切断して、旧供給管２の切断部２Ｂから上流側部分（本管側部分）は除去するとともに、その切断部２Ｂから下流側部分（民地方向側部分）は埋めたまま残す。
【００１７】
（３）  新しく入れ替えた本管４には、図３に示すごとく新しいポリエチレン等樹脂製の分岐サドル５を電気融着等で取り付ける。
【００１８】
（４）  次いで、地中に残された旧供給管２の切断部２Ｂの内面にごみ等が付着して汚れている場合はそれを清掃する。そのうえで、異径・異材質管どうしの接続を可能にする周知のメカニカル継手からなる管継手６の一端側の押輪７、抜止め部材８、リテーナ９、ガスケット１０の順にそれぞれを旧供給管２の切断部２Ｂ近傍の外周に装着する（図４参照）。
【００１９】
（５）  次いで、新しいポリエチレン等樹脂製の第１新埋設ガス配管１１の先端部１１ａを、地中に残された旧供給管２の切断部２Ｂから該供給管２内に挿入する（図１、図３参照）。このとき、第１新埋設ガス配管１１の先端部１１ａは旧供給管２内に民地Ｂ下に至る深さＦにまで挿入されるが、この挿入深さＦは、後日の民地Ｂ側の入れ替え時にこの入れ替え工事が行いやすい場所に対応すべく設定される。
【００２０】
この第１新埋設ガス配管１１の挿入に際しては、予め、該第１新埋設ガス配管１１の先端部１１ａの外周の凹溝１２にゴム輪等のシールパッキン１３を装着するとともに、該シールパッキン１３を先端部１１ａの内面よりバックアップする鍔付き円筒状のスティフナー１４を先端部１１ａの内周に嵌合し、そのうえで、上述のように旧供給管２内に所定深さＦにまで挿入する。これにより第１新埋設ガス配管１１の先端部１１ａの外周と旧供給管２の内面との間の隙間が気密状にシールされてガス漏れを防ぐことができる。
【００２１】
その際、図７に示すように、第１新埋設ガス配管１１の挿入に先立って該管１１の先端部１１ａにスティフナー１４の内径よりも僅かに大きい外径の鋼球等の硬球１５を当てがっておく。かくして、第１新埋設ガス配管１１を旧供給管２内に挿入した後、硬球１５に先端部を繋いでいるワイヤー１６の後端側を上流側方向Ｇに引っ張って硬球１５をスティフナー１４及び第１新埋設ガス配管１１内に通して引き戻すことにより先端部１１ａを拡径することができ、この拡径によりシールパッキン１３を旧供給管２の内面に対し強く押し付けて密着させることができるため安定確実にシールすることができる。
【００２２】
また、第１新埋設ガス配管１１の先端部１１ａの外周と旧供給管２の内面との間の隙間をシールパッキン１３及びスティフナー１４を用いて気密状にシールする手段としては、次のような手段を採用することもできる。スティフナー１４として、図８（ａ）に示すように、第１新埋設ガス配管１１の内径よりも僅かに大きい外径を有し、一端部１４ａの外径のみを第１新埋設ガス配管１１の内径と同じかそれよりも小さく形成し、他端部の外周に外向き鍔１４ｂを設けた段付き円筒状のスティフナー１４を用意する。第１新埋設ガス配管１１の挿入に先立って、第１新埋設ガス配管１１の先端部１１ａの外周の凹溝１２にシールパッキン１３を嵌合し、かつ先端部１１ａの内周に前記スティフナー１４の一端部１４ａのみを嵌合するとともに、ワイヤー１６の先端部１６ａに繋がれた鋼球等の硬球１５をスティフナー１４の一端部１４ａの内部に嵌合し該一端部１４ａの開口端縁１４ｃを細口径に少し絞ることにより一端部１４ａ内に硬球１５を仮止め保持する。一方、第１新埋設ガス配管１１の基端部１１ｂの外周の雄ねじに押えカラー４０を螺合してセットし、この押えカラー４０の後端壁４０ａの雌ねじ４１に中空軸状のワイヤー引込みボルト４２に螺合挿通する。ワイヤー引きボルト４２の後端部にベアリング４３を介して配された筒状のワイヤー固定治具４４とワイヤー引きボルト４２にはワイヤー１６の後端部１６ｂを挿通させ、しかる後ワイヤー固定治具４４に付設された押えねじ４５を締め付けることにより該押えねじ４５の先端でワイヤー１６の後端部１６ｂをワイヤー固定治具４４内に固定する。
【００２３】
かくして、第１新埋設ガス配管１１を旧供給管２内に挿入した後、工具でワイヤー引きボルト４２を回転させて押えカラー４０から後退移動させることによりワイヤー１６を引っ張ると、図８（ｂ）に示すごとく、硬球１５を介してスティフナー１４が外向き鍔１４ｂを第１新埋設ガス配管１１の先端面１１ｃに当接させるまで第１新埋設ガス配管１１の先端部１１ａの内周に引き込まれる。このスティフナー１４の引込みにより第１新埋設ガス配管１１の先端部１１ａが拡径し、シールパッキン１３が旧埋設ガス配管２の内面に強く密着状に押し付けられる。更にワイヤー引きボルト４２を回転させてワイヤー１６を強く引っ張ると、図８（ｃ）に示すごとく硬球１５がスティフナー１４の一端部１４ａから引き離される。これにおいても第１新埋設ガス配管１１の先端部１１ａの外周と旧供給管２の内面との間の隙間がシールパッキン１３及びスティフナー１４により安定確実に気密状にシールすることができる。なお、このシール作業後、硬球１５及びワイヤー１６は押えカラー４０、ワイヤー固定治具４４ごと第１新埋設ガス配管１１の基端部１１ｂから取り外される。
【００２４】
（６）  次いで、第１新埋設ガス配管１１の基端部１１ｂから管継手６の継手本体１７を該配管１１上に挿通し、この継手本体１７の一端側の雄ねじ部１８を旧供給管２上の押輪７の雌ねじに螺合することにより継手本体１７を旧供給管２に仮止めする。
【００２５】
（７）  次いで、第１新埋設ガス配管１１に、この基端部１１ｂから管継手６の他端側のガスケット１９、リテーナ２０、抜止め部材２１、押輪２２の順にそれぞれを挿通する（図４参照）。
【００２６】
（８）  次いで、第１新埋設ガス配管１１の基端部１１ｂを前記分岐サドル５に、通電により発熱する電熱線２３ａを埋設してある電気融着継手２３等を用いて接続する（図３参照）。
【００２７】
（９）  最後に、継手本体１７の一端側及び他端側をそれぞれ本締めすることにより、旧供給管２の切断部２Ｂと、第１新埋設ガス配管１１の外周との間の隙間が管継手６を介して気密状にシールされる。これにより第１新埋設ガス配管１１の外周と旧供給管２の切断部２Ｂの内面との間の隙間からのガス漏れを防ぐことができ、民地側の旧供給管２の入替え工事までの期間におけるガス使用に何等支障を来すことはない。以上の作業で公道側の旧埋設ガス配管３（旧供給管２）の入替え工事、つまり先行工事が終了する。
【００２８】
次に、上記先行工事を終え、所定期間経過後に実施される民地側の旧埋設ガス配管３である供給管２の入替え作業について図５（ａ）〜（ｆ）を参照にして説明する。この入替え作業は次の（１）〜（７）の順序で行われる。
【００２９】
（１）  まず、先行工事の情報に基き民地側の旧供給管２内に挿入されている樹脂製の第１新埋設ガス配管１１の先端部１１ａ位置の周辺の地面を掘削し、該先端部分を特定する。このときは、先行工事において、第１新埋設ガス配管１１の先端部１１ａを、旧供給管２内に民地Ｂ下に至る深さＦにまで挿入してあるので、民地Ｂ下の当該第１新埋設ガス配管１１の先端部１１ａ位置の周辺の地面を掘削するだけで足り、官民境界線Ｃ付近にまで幅広く掘削したり、また公道Ａを再度掘り起こす必要は無くなり、掘削量は少なくて済む。
【００３０】
（２）  掘削後、図５（ａ）に示すごとく第１新埋設ガス配管１１の先端部１１ａから数十センチくらいガスメーター側の旧供給管２の穿孔予定箇所にサドル２４を取り付け、このサドル２４に既存の鋼管等穿孔用のホールソー３７を気密保持状態に装着し、このホールソー３７で旧供給管２の穿孔予定箇所を穿孔する。その穿孔部は符号２７で示す。この穿孔作業は、第１新埋設ガス配管１１がガス流通状態である（活管）の為ガス漏洩防止状態下で行うことが必要であり、このためにサドル２４にホールソー３７を気密保持状態に装着して穿孔する方法以外に、ホールソー３７全体をすっぽり覆うようにガスバック（図示せず）をサドル２４に装着して穿孔することもできる。このような活管工事においてホールソーやガスバックを用いて穿孔する方法それ自体は周知である。
【００３１】
（３）  次いで、ホールソー３７を取り外し、代りに同図（ｂ）に示すごとくサドル２４にバルーン式管内閉塞装置２５をセットし、旧供給管２内にバルーン２６を収縮した状態で前記穿孔部２７から挿入し、加圧器（図示せず）により膨らませて旧供給管２の内面に密接し、旧供給管２のガス流通を遮断する。バルーン式管内閉塞装置２５それ自体も周知のものである。
【００３２】
（４）  次いで、同図（ｃ）に示すように、バルーン式管内閉塞装置２５、サドル２４を取り外し、旧供給管２のバルーン２６とサドル取付位置との間を切断する。その切断部は符号２Ｃで示す。
【００３３】
（５）  次いで、同図（ｄ）に示すごとく第１新埋設ガス配管１１の先端部１１ａから数十センチくらい上流側の旧供給管２のみをロール式パイプカッターで切断し、この供給管２の切断部２Ｄより下流側部分２Ｅをバルーン２６ごと第１新埋設ガス配管１１からガスメーター側方向Ｘへ移動させて第１新埋設ガス配管１１の一部を露出させる。
【００３４】
（６）  次いで、同図（ｅ）に示すごとく第１新埋設ガス配管１１の露出部をその弾性に抗してスクイズオフ装置の一対のロール部材２９ａ，２９ｂで挟むことにより絞り封止してガス流通を遮断し、旧供給管２の切断部２Ｄより下流側部分２Ｅを完全に引き抜き、第１新埋設ガス配管１１の先端部１１ａを切除する。
【００３５】
（７）  最後に、同図（ｆ）に示すごとく第１新埋設ガス配管１１の絞り封止部より下流の切除端部１１ｃに、ガスメーター側から布設され、第１新埋設ガス配管１１と同径・同材質の第２新埋設ガス配管３０の端部を、通電により発熱する電熱線３１ａを埋設してある電気融着継手等の継手３１で突き合わせ状に接合する。この接合後、絞り封止状態を解除することにより第１新埋設ガス配管１１は元の真っ直ぐな状態に弾性復帰して第２新埋設ガス配管３０とガス流通状態になる。以上の作業で民地側の旧埋設ガス配管３（旧供給管２）の入替え作業も終える。なお、供給管２の切断部２Ｄより下流側部分２Ｅは撤去されるが、その切断部２Ｄより上流側部分は埋め残される。
【００３６】
民地側の旧埋設ガス配管３（旧供給管２）の入替え作業は、バルーン２６を旧埋設ガス配管３内に挿入する上記作業に代えて、次のようにバルーン２６を第１新埋設ガス配管１１内に挿入する作業によっても行うことができる。
【００３７】
（１）  先ず、上記（１）の場合と同様に、先行工事の情報に基き民地側の旧供給管２内に挿入されている樹脂製の第１新埋設ガス配管１１の先端部１１ａ位置の周辺の地面を掘削し、該先端部分を特定する。
【００３８】
（２）  掘削後、図６（ａ）に示すごとく第１新埋設ガス配管１１の先端部１１ａから数十センチくらい上流側の旧供給管２の外周の穿孔予定箇所にサドル２４を取り付け、このサドル２４に上記ホールソー３７と同じホールソー３７を同じように装着し、このホールソー３７で第１新埋設ガス配管１１及び旧供給管２の穿孔予定箇所を穿孔する。その穿孔部を符号２７で示す。
【００３９】
（３）  次いで、ホールソー３７を取り外し、代りに同図（ｂ）に示すごとくサドル２４に上記バルーン式管内閉塞装置２５と同じものををセットし、第１新埋設ガス配管１１内にバルーン２６を収縮した状態で前記穿孔部２７から挿入して加圧器（図示せず）により膨らませて第１新埋設ガス配管１１内のガス流通を遮断する。
【００４０】
（４）  次いで、同図（ｃ）に示すごとくバルーン式管内閉塞装置２５、サドル２４を取り外し、第１新旧埋設ガス配管１１及び旧供給管２のバルーン２６とサドル取付位置との間を切断する。その切断部は符号２Ｃ，１１ｃで示す。
【００４１】
（５）  次いで、同図（ｄ）に示すごとく新埋設ガス配管１１の前記切断部１１ｃから数十センチくらい上流側の旧供給管２のみをロール式パイプカッターで切断し、この旧供給管２の切断部２Ｄから下流側部分２Ｅを第１新埋設ガス配管１１からガスメーター側方向Ｘへ移動させて第１新埋設ガス配管１１の一部を露出させる。
【００４２】
（６）  次いで、同図（ｅ）に示すごとく第１新埋設ガス配管１１の露出部をスクイズオフ装置の一対のロール部材２９ａ，２９ｂで挟むことにより絞り封止してガス流通を遮断し、旧供給管２の切断部２Ｄから下流側部分２Ｅを完全に引き抜く。
【００４３】
（７）  最後に、同図（ｆ）に示すごとく絞り封止状態下で、バルーン２６を抜き出し、第１新埋設ガス配管１１の絞り封止部より下流の先端部１１ｃに、ガスメーター側から布設され、第１新埋設ガス配管１１と同径・同材質の第２新埋設ガス配管３０の端部を電気融着継手等の継手３１で突き合わせ状に接合する。この接合後、絞り封止状態を解除することにより第１新埋設ガス配管１１は元の真っ直ぐな状態に弾性復帰して第２新埋設ガス配管３０とガス流通状態になる。
【００４４】
【発明の効果】
本発明によれば、先行して行う公道側の旧埋設ガス配管の入替え時に、第１新埋設ガス配管の先端部を、地中に残される旧埋設ガス配管の切断端部から該旧埋設ガス配管内に民地下に至る深さにまで挿入するので、後日、民地側の旧埋設ガス配管を入れ替える時は民地を掘削するだけで足り、公道側を再度掘り起こす必要が無くなり、民地側の旧埋設ガス配管の入替え作業を能率的に行うことができ、工期の短縮化できて有利である。
【図面の簡単な説明】
【図１】公道側の旧埋設ガス配管を新埋設ガス配管に入替えた状態の断面図である。
【図２】公道側及び民地側双方の旧埋設ガス配管を新埋設ガス配管に入替えた状態の断面図である。
【図３】図１における要部の拡大断面図である。
【図４】図３の継手部分の拡大断面図である。
【図５】（ａ）〜（ｆ）は民地側の入替え工程図である。
【図６】（ａ）〜（ｆ）は他の実施例の民地側の入替え工程図である。
【図７】他の実施例の新埋設ガス配管の先端部のシール部の断面図である。
【図８】（ａ）〜（ｃ）は更に他の実施例の新埋設ガス配管の先端部のシール工程図である。
【図９】公道側から民地側にわたって旧埋設ガス配管が埋設されている状態の断面図である。
【図１０】 従来例の公道側及び民地側双方の旧埋設ガス配管を新埋設ガス配管に入替えた状態の断面図である。
【符号の説明】
Ａ  公道
Ｂ  民地
１  旧本管
３  旧埋設ガス配管
６  管継手
１１  第１新埋設ガス配管
１１ａ  第１新埋設ガス配管の先端部
１３  シールパッキン
１４  スティフナー
１５  硬球
１６  ワイヤー
２６  バルーン
２７  穿孔部
【図１】
0004603701.tif 000002
【図２】
0004603701.tif 000003
【図３】
0004603701.tif 000004
【図４】
0004603701.tif 000005
【図５】
0004603701.tif 000006
【図６】
0004603701.tif 000007
【図７】
0004603701.tif 000008
【図８】
0004603701.tif 000009
【図９】
0004603701.tif 000010
【図１０】
0004603701.tif 000011